(57)【特許請求の範囲】
【請求項１】
エレベータを制御するとともに前記エレベータの異常を検出する機能を有するエレベータ制御装置と、前記エレベータ制御装置により前記エレベータの異常を検出したときこの異常を外部に通報するエレベータ監視装置と、前記エレベータ監視装置の複数を通信回線を介して管理する監視センターと、前記エレベータ監視装置に停電時給電するバッテリーとで構成されるエレベータの遠隔監視システムにおいて、前記エレベータ制御装置と前記エレベータ監視装置への給電を意図的に遮断する場合に、エレベータの休止操作を含む所定の複数の操作により通報無効を前記エレベータ監視装置に指示する通報無効指示手段と、前記所定の複数の操作により監視無効を前記監視センターに指示する監視無効指示手段とを設けたことを特徴とするエレベータの遠隔監視システム。
【請求項２】
エレベータを制御するとともに前記エレベータの異常を検出する機能を有するエレベータ制御装置と、前記エレベータ制御装置により前記エレベータの異常を検出したときこの異常を外部に通報するエレベータ監視装置と、前記エレベータ監視装置の複数を通信回線を介して管理する監視センターと、前記エレベータ監視装置に停電時給電するバッテリーとで構成されるエレベータの遠隔監視システムにおいて、前記エレベータ制御装置と前記エレベータ監視装置への給電を意図的に遮断する場合に、エレベータの休止操作を含む所定の複数の操作により通報無効を前記エレベータ監視装置に指示する通報無効指示手段と、前記所定の複数の操作により監視無効を前記監視センターに指示する監視無効指示手段とを設けるとともに、前記給電を意図的に遮断した場合に前記バッテリーから前記エレベータ監視装置への給電を停止する給電停止手段を設けたことを特徴とするエレベータの遠隔監視システム。
【請求項３】
エレベータを制御するとともに前記エレベータの異常を検出する機能を有するエレベータ制御装置と、前記エレベータ制御装置により前記エレベータの異常を検出したときこの異常を外部に通報するエレベータ監視装置と、前記エレベータ監視装置の複数を通信回線を介して管理する監視センターと、前記エレベータ監視装置に停電時給電するバッテリーとで構成されるエレベータの遠隔監視システムにおいて、前記エレベータ制御装置と前記エレベータ監視装置への給電を意図的に遮断する場合に、エレベータの休止操作を含む所定の複数の操作により通報無効を前記エレベータ監視装置に指示する通報無効指示手段と、前記所定の複数の操作により監視無効を前記監視センターに指示する監視無効指示手段とを設けるとともに、前記エレベータ監視装置の通報無効設定状態をエレベータの利用者に表示する通報状態表示手段と、前記エレベータ監視装置の故障状態をエレベータの利用者に表示する故障表示手段と、前記監視センターの監視機能をエレベータの利用者に表示する監視機能表示手段とを備えたことを特徴とするエレベータの遠隔監視システム。
【請求項４】
前記各表示手段はそれぞれ乗場呼釦の応答灯を共用して表示することを特徴とする請求項３に記載のエレベータの遠隔監視システム。
【請求項５】
前記所定の複数の操作は、パーキングスイッチによるエレベータの休止操作と乗場呼釦の操作とで構成されることを特徴とする請求項１乃至３に記載のエレベータの遠隔監視システム。
【発明の詳細な説明】
【０００１】
【発明の属する技術分野】
本発明は、エレベータの遠隔監視システムに関するものであり、特に、エレベータ監視装置の通報無効の設定と通報状態の表示、及び、監視センターの監視無効の設定と監視機能の表示、及び、エレベータ監視装置に停電時給電するバッテリーの不必要な給電停止、及び、エレベータ監視装置の故障の表示に関するものである。
【０００２】
【従来の技術】
図９は従来のエレベータの遠隔監視システムの構成を示すブロック図である。
【０００３】
図９において、１は電力を供給する主電源、２は回路を保護するブレーカー、３は所定電圧の電力を作り出す電源装置、４は電力の充電を行う充電器、５は電力を蓄えるバッテリー、６はパーキング階に設けられエレベータを運転状態あるいは休止状態とするパーキングスイッチ、７はパーキングスイッチ６により動作するパーキング用リレー、７ａはパーキング用リレー７の動作により開閉するパーキング用リレー接点、８はパーキング階に設けられ乗場呼びの登録を行う乗場呼釦、９は乗場呼釦８により乗場呼びの登録が行われると点灯する乗場呼釦応答灯、１０はエレベータを制御するとともにエレベータの異常を検出する機能を有するエレベータ制御装置、１１はエレベータ制御装置１０によりエレベータの異常を検出したときこの異常を通報するエレベータ監視装置、１２は情報のやりとりを行う通信回線、１３はエレベータ監視装置１１の複数を通信回線１２を介して管理する監視センター、１４はエレベータの異常を検出するエレベータ異常検出部、１５はエレベータの異常を判断するエレベータ異常判断部、１６はエレベータ制御装置１０とエレベータ監視装置１１間の信号のやりとりを行う信号線、１７はエレベータ制御装置１０とエレベータ監視装置１１間の情報のやりとりを行う通信線、１８はエレベータ監視装置１１内に設けられ監視センター１３に対する情報の発信・着信を処理する発着信処理部、１９は監視センター１３内に設けられエレベータ監視装置１１に対する情報の発信・着信を処理する発着信処理部、２０は監視結果の処理を行う監視結果処理部、２１は監視結果の出力を行う出力装置、Ｄ１，Ｄ２は電流の逆流を防止するダイオードである。
【０００４】
次に、図９の構成のエレベータの遠隔監視システムの動作について説明する。
【０００５】
エレベータ制御装置１０やエレベータの各装置（図示なし）の異常、乗客によるかご内非常ボタン（図示なし）の操作等が行われると、各異常信号・各操作信号等がエレベータ異常検出部１４へ入力される。
【０００６】
エレベータ異常検出部１４は信号線１６及び通信線１７を通じてエレベータ異常判断部１５と常に信号及び情報をやりとりしている。
【０００７】
エレベータ異常判断部１５がエレベータ異常検出部１４からの信号及び情報により異常と判断すると、異常の状態は発着信処理部１８から発信し、通信回線１２を介して発着信処理部１９に着信する。
【０００８】
発着信処理部１９に着信した異常の状態は監視結果処理部２０へ入力され監視結果の処理が行われる。
【０００９】
監視結果は、監視結果処理部２０から出力装置２１へ入力され出力装置２１から出力される。
【００１０】
停電時はバッテリー５からエレベータ監視装置１１へ電力が供給され、エレベータ監視装置１１は動作する。
【００１１】
従って、エレベータ異常判断部１５は信号線１６及び通信線１７の信号及び情報により停電と判断すると、停電の状態は発着信処理部１８から発信し、通信回線１２を介して発着信処理部１９に着信する。
【００１２】
発着信処理部１９から出力装置２１までの動作については上記と同様である。
【００１３】
エレベータ監視装置１１の動作は下記のように確認される。
【００１４】
定時になると自動的にエレベータ監視装置１１から通信回線１２を介して監視センター１３に発信が行われる。監視センター１３では、エレベータ監視装置１１から定時に着信がある場合正常と判断し、エレベータ監視装置１１から定時に着信がない場合故障と判断する。
【００１５】
あるいは、監視センター１３から通信回線１２を介して定期的にエレベータ監視装置１１に発信が行われ、エレベータ監視装置１１の動作等の確認が行われる。
【００１６】
【発明が解決しようとする課題】
上記のような従来のエレベータの遠隔監視システムでは、ブレーカー２により給電を意図的に遮断した場合、エレベータ監視装置１１は停電と判断し、停電の状態はエレベータ監視装置１１から発信し、通信回線１２を介して監視センター１３に着信する。
【００１７】
このため、ブレーカー２を意図的に遮断する前に、監視センター１３にブレーカー２を意図的に遮断することを通知しておく必要がある。しかし、この方法だと利用者と監視センター１３における対応は大きな負担となってしまう。
【００１８】
また、ブレーカー２を意図的に遮断する前に、エレベータ監視装置１１を操作して発信を無効とすることもできる。しかし、エレベータ監視装置１１が容易に操作できる場所にあった場合、利用者が無意識の内にエレベータ監視装置１１を操作して発信を無効としていたり、一旦エレベータ監視装置１１の発信を無効としてしまうと、エレベータを再び通常通り使用するときに、エレベータ監視装置１１の発信を復旧せずにエレベータを使用してしまうこともある。
【００１９】
ブレーカー２により給電を意図的に遮断した場合、バッテリー５からエレベータ監視装置１１へ電力が供給される。このため、ブレーカー２を遮断した期間が長いとバッテリー５は放電し電圧が低下してしまうこととなる。
【００２０】
このような状態でブレーカー２を再び接続し、エレベータを通常通り使用している時に停電が発生すると、バッテリー５が充電式であったとしても、バッテリー５からエレベータ監視装置１１へ電力が十分に供給されず、エレベータ監視装置１１は監視センター１３に発信できないこととなる。
【００２１】
また、ブレーカー２により給電を意図的に遮断し、バッテリー５の電圧が低下していてバッテリー５からエレベータ監視装置１１へ十分な電力が供給されない場合、エレベータ監視装置１１は監視センター１３に発信できず、エレベータ監視装置１１から監視センター１３へ定時に発信が行われないため、監視センター１３ではエレベータ監視装置１１が故障したと判断してしまう。
【００２２】
エレベータ監視装置１１と監視センター１３の間では、通信回線１２を介して、定期的にエレベータ監視装置１１の動作が確認されている。
【００２３】
このため、定期的にエレベータ監視装置１１の動作が確認されている時間と時間の間にエレベータ監視装置１１が故障し、このときさらにエレベータに異常が発生すると、エレベータの異常をエレベータ監視装置１１から監視センター１３に発信できない。
【００２４】
従って、エレベータの異常に対する対応が遅れてしまうこととなる。
【００２５】
本発明は、以上の課題を解決したエレベータの遠隔監視システムを提供するものである。
【００２６】
【課題を解決するための手段】
本発明は上記目的を達成するために、エレベータを制御するとともに前記エレベータの異常を検出する機能を有するエレベータ制御装置と、前記エレベータ制御装置により前記エレベータの異常を検出したときこの異常を外部に通報するエレベータ監視装置と、前記エレベータ監視装置の複数を通信回線を介して管理する監視センターと、前記エレベータ監視装置に停電時給電するバッテリーとで構成されるエレベータの遠隔監視システムにおいて、前記エレベータ制御装置と前記エレベータ監視装置への給電を意図的に遮断する場合に、エレベータの休止操作を含む所定の複数の操作により通報無効を前記エレベータ監視装置に指示する通報無効指示手段と、前記所定の複数の操作により監視無効を前記監視センターに指示する監視無効指示手段とを設けたことを特徴とする。
【００２７】
また、本発明は上記の構成に加えて、前記エレベータ制御装置と前記エレベータ監視装置への給電を意図的に遮断した場合に、前記バッテリーから前記エレベータ監視装置への給電を停止する給電停止手段を設けたことを特徴とする。
【００２８】
さらに本発明は、上記の構成に加えて、前記エレベータ監視装置の通報無効設定状態をエレベータの利用者に表示する通報状態表示手段と、前記エレベータ監視装置の故障状態をエレベータの利用者に表示する故障表示手段と、前記監視センターの監視機能をエレベータの利用者に表示する監視機能表示手段とを備えたことを特徴とする。
【００２９】
また本発明は、前記各表示手段をそれぞれ乗場呼釦の応答灯を共用して表示するようにしたことを特徴とする。
【００３０】
また本発明は、前記所定の複数の操作は、パーキングスイッチによるエレベータの休止操作と乗場呼釦の操作とで構成されることを特徴とする。
【００３１】
削除
【００３２】
削除
【００３３】
削除
【００３４】
削除
【００３５】
削除
【００３６】
削除
【００３７】
削除
【００３８】
削除
【００３９】
削除
【００４０】
削除
【００４１】
削除
【００４２】
【発明の実施の形態】
以下、本発明の実施形態について説明する。
【００４３】
図１は本発明の一実施形態であるエレベータの遠隔監視システムの構成を示すブロック図である。図１において、上記従来例と同一符号及び記号は上記従来例の構成部分と同一または相当する構成部分を示し、同一または相当する動作をする。
【００４４】
図１において、７ｂはパーキング用リレー７の動作により開閉するパーキング用リレー接点、３０はパーキングスイッチ６の信号と乗場呼釦８の信号によりエレベータ監視装置１１を通報無効に設定する通報無効指示判断部、３１はエレベータ制御装置１０からの通報無効の設定信号によりエレベータ監視装置１１を通報無効に設定する通報無効指示処理部、４０はパーキングスイッチ６の信号と乗場呼釦８の信号により監視センター１３に監視無効を設定する監視無効指示判断部、４１はエレベータ制御装置１０からの監視無効の設定信号により監視センター１３に監視無効を設定する監視無効指示処理部、４２はエレベータ監視装置１１からの監視無効の設定信号により監視センター１３に監視無効を設定し管理する監視無効指示管理部、５０はエレベータ監視装置１１内部の故障を検出するエレベータ監視装置故障検出部、５１はエレベータ監視装置１１の故障を判断するエレベータ監視装置故障判断部である。
【００４５】
次に、図１の構成のエレベータの遠隔監視システムの動作について説明する。
【００４６】
▲１▼エレベータ監視装置の通報無効の設定と通報状態の表示
【００４７】
図２は、本発明の一実施形態であるエレベータ監視装置の通報無効の設定の動作を示すフローチャートである。
【００４８】
ステップＳ１ではエレベータは通常運転でステップＳ２に進む。ステップＳ２では通報無効指示判断部３０においてパーキング用リレー接点７ａの信号によりパーキングスイッチ６が運転あるいは休止のどちらであるか判断し、運転であればステップＳ１に戻り、休止であればステップＳ３に進む。ステップＳ３では通報無効指示判断部３０の休止の判断に基づきエレベータ制御装置１０によりエレベータは休止となりステップＳ４に進む。ステップＳ４では通報無効指示判断部３０において乗場呼釦８が所定時間以上押されたか判断し、所定時間以上押されていなければステップＳ２に戻り、所定時間以上押されていればステップＳ５に進む。ステップＳ５では通報無効指示判断部３０から通信線１７を介して通報無効指示処理部３１に通報無効設定信号が出力されエレベータ監視装置１１を通報無効に設定しステップＳ６に進む。ステップＳ６では通報無効指示判断部３０においてパーキング用リレー接点７ａの信号によりパーキングスイッチ６が運転あるいは休止のどちらであるか判断し、休止であればステップＳ５に戻り、運転であればステップＳ７に進む。ステップＳ７では通報無効指示判断部３０から通信線１７を介して通報無効指示処理部３１に通報無効解除信号が出力されエレベータ監視装置１１の通報無効を解除し、ステップＳ８に進む。ステップＳ８では通報無効指示判断部３０の運転の判断に基づきエレベータ制御装置１０によりエレベータは通常運転となる。
【００４９】
図３は、本発明の一実施形態であるエレベータ監視装置の通報状態の表示の動作を示すフローチャートである。なお、図３はエレベータ監視装置を通報無効に設定する場合を示しているが、エレベータ監視装置の通報無効を解除する場合も同様である。
【００５０】
ステップＳ１１ではエレベータが通常運転であることをエレベータ利用者に表示するために乗場呼釦応答灯９は消灯していてステップＳ１２へ進む。ステップＳ１２ではエレベータ監視装置１１を通報無効に設定するための通報無効設定信号が通報無効指示判断部３０から出力されていなければステップＳ１１に戻り、通報無効設定信号が通報無効指示判断部３０から出力されていればステップＳ１３に進む。ステップＳ１３ではエレベータ監視装置１１が通報無効設定中であることをエレベータ利用者に表示するために乗場呼釦応答灯９は低速点滅しステップＳ１４に進む。ステップＳ１４では通報無効指示判断部３０から通信線１７を介して通報無効指示処理部３１に通報無効設定信号が伝わり、エレベータ監視装置１１を通報無効に設定完了したか確認するために通報無効指示処理部３１から通信線１７を介して通報無効指示判断部３０に所定時間以内に通報無効設定完了信号が入力されたか判断し、所定時間以内に通報無効設定完了信号が入力されていればステップＳ１５に進み、所定時間以内に通報無効設定完了信号が入力されていなければステップＳ１６へ進む。ステップＳ１５ではエレベータ監視装置１１が通報無効設定完了であることをエレベータ利用者に表示するために乗場呼釦応答灯９は消灯する。ステップＳ１６ではエレベータ監視装置１１が通報無効設定異常であることをエレベータ利用者に表示するために乗場呼釦応答灯９は高速点滅する。
【００５１】
▲２▼監視センターの監視無効の設定と監視機能の表示
【００５２】
図４は、本発明の一実施形態である監視センターの監視無効の設定の動作を示すフローチャートである。
【００５３】
ステップＳ２１ではエレベータは通常運転でステップＳ２２に進む。ステップＳ２２では監視無効指示判断部４０においてパーキング用リレー接点７ａの信号によりパーキングスイッチ６が運転あるいは休止のどちらであるか判断し、運転であればステップＳ２１に戻り、休止であればステップＳ２３に進む。ステップＳ２３では監視無効指示判断部４０の休止の判断に基づきエレベータ制御装置１０によりエレベータは休止となりステップＳ２４に進む。ステップＳ２４では監視無効指示判断部４０において乗場呼釦８が所定時間以上押されたか判断し、所定時間以上押されていなければステップＳ２２に戻り、所定時間以上押されていればステップＳ２５に進む。ステップＳ２５では監視無効指示判断部４０から通信線１７・監視無効指示処理部４１・発着信処理部１８・通信回線１２・発着信処理部１９を介して監視無効指示管理部４２に監視無効設定信号が出力され監視センター１３に監視無効を設定しステップＳ２６に進む。ステップＳ２６では監視無効指示判断部４０においてパーキング用リレー接点７ａの信号によりパーキングスイッチ６が運転あるいは休止のどちらであるか判断し、休止であればステップＳ２５に戻り、運転であればステップＳ２７に進む。ステップＳ２７では監視無効指示判断部４０から通信線１７・監視無効指示処理部４１・発着信処理部１８・通信回線１２・発着信処理部１９を介して監視無効指示管理部４２に監視無効解除信号が出力され監視センター１３に監視無効を解除し、ステップＳ２８に進む。ステップＳ２８では監視無効指示判断部４０の運転の判断に基づきエレベータ制御装置１０によりエレベータは通常運転となる。
【００５４】
図５は、本発明の一実施形態である監視センターの監視機能の表示の動作を示すフローチャートである。なお、図５は監視センターに監視無効を設定する場合を示しているが、監視センターに監視無効を解除する場合も同様である。
【００５５】
ステップＳ３１ではエレベータが通常運転であることをエレベータ利用者に表示するために乗場呼釦応答灯９は消灯していてステップＳ３２へ進む。ステップＳ３２では監視センター１３に監視無効を設定するための監視無効設定信号が監視無効指示判断部４０から出力されていなければステップＳ３１に戻り、監視無効設定信号が監視無効指示判断部４０から出力されていればステップＳ３３に進む。ステップＳ３３では監視センター１３が監視無効設定中であることをエレベータ利用者に表示するために乗場呼釦応答灯９は低速点滅しステップＳ３４に進む。ステップＳ３４では監視無効指示判断部４０から通信線１７・監視無効指示処理部４１・発着信処理部１８・通信回線１２・発着信処理部１９を介して監視無効指示管理部４２に監視無効設定信号が伝わり、監視センター１３に監視無効を設定完了したか確認するために監視無効指示管理部４２から発着信処理部１９・通信回線１２・発着信処理部１８・監視無効指示処理部４１・通信線１７を介して監視無効指示判断部４０に所定時間以内に監視無効設定完了信号が入力されたか判断し、所定時間以内に監視無効設定完了信号が入力されていればステップＳ３５に進み、所定時間以内に監視無効設定完了信号が入力されていなければステップＳ３６へ進む。ステップＳ３５では監視センター１３が監視無効設定完了であることをエレベータ利用者に表示するために乗場呼釦応答灯９は消灯する。ステップＳ３６では監視センター１３が監視無効設定異常であることをエレベータ利用者に表示するために乗場呼釦応答灯９は高速点滅する。
【００５６】
▲３▼エレベータ監視装置に停電時給電するバッテリーの不必要な給電停止
【００５７】
パーキングスイッチ６が運転のとき、パーキング用リレー７は動作し、パーキング用リレー接点７ｂは閉じている。このときに停電が発生すると、バッテリー５からエレベータ監視装置１１に電力が供給され、エレベータ監視装置１１は動作する。
【００５８】
パーキングスイッチ６が休止のとき、パーキング用リレー７は動作せず、パーキング用リレー接点７ｂは開いている。このときに停電が発生すると、バッテリー５からエレベータ監視装置１１に電力が供給されず、エレベータ監視装置１１は動作しない。
【００５９】
▲４▼エレベータ監視装置の故障の表示
【００６０】
図６は、本発明の一実施形態であるエレベータ監視装置の故障の表示の動作を示すフローチャートである。
【００６１】
ステップＳ４１ではエレベータ監視装置１１とエレベータ制御装置１０間の情報のやりとりが通信線１７を介して行われているか判断し、情報のやりとりが行われていればステップＳ４２に進み、情報のやりとりが行われていなければステップＳ４５に進む。ステップＳ４２ではエレベータ監視装置故障検出部５０において故障を検出したか判断し、故障を検出していればステップＳ４５に進み、故障を検出していなければステップＳ４３に進む。ステップＳ４３ではエレベータ監視装置故障判断部５１においてエレベータ監視装置１１に故障無しと判断しステップＳ４４に進み、ステップＳ４４ではエレベータ監視装置１１が正常であることをエレベータ利用者に表示するために乗場呼釦応答灯９は消灯する。ステップＳ４５ではエレベータ監視装置故障判断部５１においてエレベータ監視装置１１に故障有りと判断しステップＳ４６に進み、ステップＳ４６ではエレベータ監視装置１１が故障であることをエレベータ利用者に表示するために乗場呼釦応答灯９は高速点滅する。
【００６２】
▲５▼監視センターの動作
【００６３】
図７は、本発明の一実施形態である監視センターの動作を示すフローチャートである。
【００６４】
ステップＳ５１では監視センター１３は着信待ちでステップＳ５２へ進む。ステップＳ５２ではエレベータ監視装置１１から発着信処理部１９にエレベータ異常の着信があったか判断し、着信がなければステップＳ５３に進み、着信があればステップＳ５７に進む。ステップＳ５７ではエレベータ異常の着信は発着信処理部１９から監視結果処理部２０へ入力され監視結果の処理が行われ、監視結果は監視結果処理部２０から出力装置２１へ入力され、出力装置２１から該当エレベータに異常が発生している旨を出力し、ステップＳ５６に進む。
【００６５】
ステップＳ５３ではエレベータ監視装置１１から発着信処理部１９に定時の着信があったか判断し、着信がなければステップＳ５４に進み、着信があればステップＳ５８に進む。ステップＳ５８では定時の着信は発着信処理部１９から監視結果処理部２０へ入力され、該当エレベータから定時着信のあった旨を記録し、ステップＳ５６へ進む。
【００６６】
ステップＳ５４ではエレベータ監視装置１１から発着信処理部１９に監視無効設定信号の着信があったか判断し、着信がなければステップＳ５５に進み、着信があればステップＳ５９に進む。ステップＳ５９では監視無効設定信号の着信は発着信処理部１９から監視無効指示管理部４２へ入力され、該当エレベータが監視無効である旨を記録し、ステップＳ５６に進む。
【００６７】
ステップＳ５５ではエレベータ監視装置１１から発着信処理部１９に監視無効解除信号の着信があったか判断し、着信がなければステップＳ５６に進み、着信があればステップＳ６０に進む。ステップＳ６０では監視無効解除信号の着信は発着信処理部１９から監視無効指示管理部４２へ入力され、該当エレベータが監視無効でない旨を記録し、ステップＳ５６に進む。
【００６８】
ステップＳ５６では監視結果処理部２０においてエレベータ監視装置１１の異常確認時刻になったか判断し、異常確認時刻になっていなければステップＳ５１に戻り、異常確認時刻になっていればステップＳ６１に進む。ステップＳ６１では監視無効指示管理部４２に蓄積された記録が監視結果処理部２０へ入力され、監視結果処理部２０に蓄積された記録とともに監視結果の処理が行われ、エレベータ監視装置の異常を確認し、ステップＳ５１に戻る。
【００６９】
図８は、本発明の一実施形態であるエレベータ監視装置の異常確認の動作を示すフローチャートである。なお、図８は図７のステップＳ６１の動作を具体的に示したものである。
【００７０】
ステップＳ７１では監視結果処理部２０において全エレベータ監視装置１１について監視結果処理が終了したか判断し、監視結果処理が終了していればエレベータ監視装置１１の異常確認を終了し、監視結果処理が終了していなければステップＳ７２へ進む。
【００７１】
ステップＳ７２では監視結果処理部２０において該当エレベータ監視装置１１が定時着信時刻に監視無効状態であったか判断し、監視無効状態であればステップＳ７１に戻り、監視無効状態でなければステップＳ７３に進む。
【００７２】
ステップＳ７３では監視結果処理部２０において該当エレベータ監視装置１１から発着信処理部１９に定時の着信があったか判断し、着信があればステップＳ７１に戻り、着信がなければステップＳ７４に進む。ステップＳ７４では監視結果は監視結果処理部２０から出力装置２１へ入力され、出力装置２１から該当エレベータ監視装置１１に異常がある旨を出力し、ステップＳ７１に戻る。
【００７３】
以上において説明した図１の構成における本発明の一実施形態であるエレベータの遠隔監視システムでは、パーキングスイッチ６と乗場呼釦８の操作により、エレベータ監視装置１１の通報無効の設定と監視センター１３の監視無効の設定は同時に進行する。そして、エレベータ監視装置１１の通報状態の表示・故障の表示と監視センター１３の監視機能の表示は乗場呼釦応答灯９を共用して表示される。
【００７４】
なお、本発明は種々の構成が可能であり、上記実施形態に限定されない。
【００７５】
【発明の効果】
以上説明したように、本発明のエレベータの遠隔監視システムでは、電源の意図的遮断と停電を区別することができ、利用者がブレーカーにより給電を意図的に遮断する場合、利用者が簡単な操作をするだけで、エレベータ監視装置及び監視センターの設定ができるため、複雑な対応が不要となる。さらに、エレベータ監視装置及び監視センターの設定状態を容易に確認することもできる。
【００７６】
また、利用者がブレーカーにより給電を意図的に遮断する場合、バッテリーが放電し電圧が低下してしまうことを防止できるため、ブレーカーを再び接続し通常通り使用している時に停電が発生しても監視機能が損なわれることがない。
【００７７】
また、定期的にエレベータ監視装置の動作が確認されている時間と時間の間にエレベータ監視装置が故障しても、故障を表示しエレベータ利用者が故障に気付かずに利用を継続することを防ぐことができる。
【図面の簡単な説明】
【図１】本発明の一実施形態であるエレベータの遠隔監視システムの構成を示すブロック図である。
【図２】本発明の一実施形態であるエレベータ監視装置の通報無効の設定の動作を示すフローチャートである。
【図３】本発明の一実施形態であるエレベータ監視装置の通報状態の表示の動作を示すフローチャートである。
【図４】本発明の一実施形態である監視センターの監視無効の設定の動作を示すフローチャートである。
【図５】本発明の一実施形態である監視センターの監視機能の表示の動作を示すフローチャートである。
【図６】本発明の一実施形態であるエレベータ監視装置の故障の表示の動作を示すフローチャートである。
【図７】本発明の一実施形態である監視センターの動作を示すフローチャートである。
【図８】本発明の一実施形態であるエレベータ監視装置の異常確認の動作を示すフローチャートである。
【図９】従来のエレベータの遠隔監視システムの構成を示すブロック図である。
【符号の説明】
６    パーキングスイッチ
８    乗場呼釦
９    乗場呼釦応答灯
１０  エレベータ制御装置
１１  エレベータ監視装置
１３  監視センター
３０  通報無効指示判断部
３１  通報無効指示処理部
４０  監視無効指示判断部
４１  監視無効指示処理部
４２  監視無効指示管理部
５０  エレベータ監視装置故障検出部
５１  エレベータ監視装置故障判断部
【図１】
0004066479.tif 000002
【図２】
0004066479.tif 000003
【図３】
0004066479.tif 000004
【図４】
0004066479.tif 000005
【図５】
0004066479.tif 000006
【図６】
0004066479.tif 000007
【図７】
0004066479.tif 000008
【図８】
0004066479.tif 000009
【図９】
0004066479.tif 000010